(57)【要約】  セル再選択を行うための方法は、まず、現在のセル選択品質値を決定する。セル選択品質値は、予め定められた閾値と比較される。セル選択品質値が予め定められた閾値以下である場合、隣接セルの測定が行われる。同一周波数セル、異周波数セル、および無線アクセス技術間セルの測定を行うことができる。測定に基づいて、現在のセルより良い隣接セルが見つかった場合、より良い隣接セルが再選択される。
2010531577.tif 000002
【特許請求の範囲】
【請求項１】
セル再選択を行うための方法であって、
現在のセル選択品質値を決定することと、
前記セル選択品質値を予め定められた閾値と比較することと、
前記セル選択品質値が前記予め定められた閾値以下である場合、隣接セルの測定を行うことと、
前記測定に基づいて、前記現在のセルより良い隣接セルが見つかった場合、前記より良い隣接セルを再選択することと
を含むことを特徴とする方法。
【請求項２】
前記セル選択品質値は、参照シンボル受信品質と前記セルにおける最小必要品質レベルとの間の差であることを特徴とする請求項１に記載の方法。
【請求項３】
前記閾値は、周波数内測定をトリガするための閾値であり、
前記測定は、隣接する同一周波数セルについて行われる
ことを特徴とする請求項１に記載の方法。
【請求項４】
前記閾値は、周波数間測定をトリガするための閾値であり、
前記測定は、隣接する異周波数セルについて行われる
ことを特徴とする請求項１に記載の方法。
【請求項５】
前記閾値は、周波数内測定をトリガするための閾値であり、
前記測定は、隣接する同一周波数セルおよび隣接する異周波数セルについて並列して行われる
ことを特徴とする請求項１に記載の方法。
【請求項６】
前記測定は、前記セル選択品質値が周波数内測定をトリガするための閾値以下であり、周波数間測定をトリガするための閾値以下である場合、隣接する同一周波数セルおよび隣接する異周波数セルについて並列して行われることを特徴とする請求項１に記載の方法。
【請求項７】
前記閾値は、無線アクセス技術（ＲＡＴ）間測定をトリガするための閾値であり、
前記測定は、隣接する異なるＲＡＴのセルについて行われる
ことを特徴とする請求項１に記載の方法。
【請求項８】
前記異なるＲＡＴの測定は、適した隣接する同一周波数セルまたは隣接する異周波数セルがない場合のみ行われることを特徴とする請求項７に記載の方法。
【請求項９】
サポートされているＲＡＴごとに、異なるＲＡＴのトリガ閾値が使用されることを特徴とする請求項７に記載の方法。
【請求項１０】
２つの連続する測定間で、予め定められた期間待つ
ことをさらに含むことを特徴とする請求項７に記載の方法。
【請求項１１】
前記予め定められた期間は、ある回数の間欠受信（ＤＲＸ）サイクルに基づくことを特徴とする請求項１０に記載の方法。
【請求項１２】
前記現在のセルが、予め定められた回数連続するＤＲＸサイクルで、予め定められた基準を満たさない場合、前記異なるＲＡＴのセルの測定を行うこと
をさらに含むことを特徴とする請求項１１に記載の方法。
【請求項１３】
前記予め定められた基準は、Ｓ基準であることを特徴とする請求項１２に記載の方法。
【請求項１４】
前記Ｓ基準は、式：
Ｓｒｘｌｅｖ＝ＲＳＲＰ−Ｑｒｘｌｅｖｍｉｎ−ｍａｘ（ＵＥ＿ＴＸＰＷＲ＿ＭＡＸ＿ＲＡＣＨ−Ｐ＿ＭＡＸ，０）によって定義され、
式中、Ｓｒｘｌｅｖは、セル選択受信レベル、ＲＳＲＰは、参照シンボル受信電力、Ｑｒｘｌｅｖｍｉｎは、前記セルにおける最小必要受信レベル、ＵＥ＿ＴＸＰＷＲ＿ＭＡＸ＿ＲＡＣＨは、ランダムアクセスチャネル上で前記セルにアクセスするときに無線送受信ユニット（ＷＴＲＵ）が使用し得る最大電力レベル、およびＰ＿ＭＡＸは、前記ＷＴＲＵの最大無線周波数出力電力であることを特徴とする請求項１３に記載の方法。
【請求項１５】
前記ＲＳＲＰ値は、前記ＷＴＲＵによって測定され、ＱｒｘｌｅｖｍｉｎおよびＵＥ＿ＴＸＰＷＲ＿ＭＡＸ＿ＲＡＣＨは、ネットワークから受信されることを特徴とする請求項１４に記載の方法。
【請求項１６】
前記予め定められた期間は、無線送受信ユニット（ＷＴＲＵ）によって前記ネットワークから受信されることを特徴とする請求項１０に記載の方法。
【請求項１７】
複数の予め定められた期間値は、前記ＷＴＲＵによって前記ネットワークから受信され、前記ＷＴＲＵは、現在のチャネル状態に基づいて予め定められた期間値を選択することを特徴とする請求項１６に記載の方法。
【請求項１８】
倍率を受信することをさらに含み、前記倍率に前記予め定められた期間値を掛けて、現在のチャネル状態に基づいて前記測定間隔を調整する
ことを特徴とする請求項１６に記載の方法。
【請求項１９】
異なるＲＡＴのセルを検索することをさらに含むことを特徴とする請求項７に記載の方法。
【請求項２０】
前記検索することは、
少なくとも１つのＲＡＴにおけるセルを測定することと、
すべてのＲＡＴの前記測定されたセルを最小品質閾値と比較することと、
ＲＡＴに関係なく、前記閾値を超える前記セルを選択することと、
前記測定に基づいて、前記選択されたセルをランク付けすることと
を含むことを特徴とする請求項１９に記載の方法。
【請求項２１】
ＲＡＴごとに異なる最小品質閾値が使用されることを特徴とする請求項２０に記載の方法。
【請求項２２】
前記ランク付けは、予め定められた間隔で繰り返し行われることを特徴とする請求項２０に記載の方法。
【請求項２３】
前記予め定められた間隔は、ある回数の間欠受信（ＤＲＸ）サイクルに基づくことを特徴とする請求項２２に記載の方法。
【請求項２４】
すべての前記ＲＡＴの中から最強のセルを再選択すること
をさらに含むことを特徴とする請求項２０に記載の方法。
【請求項２５】
前記ＲＡＴの優先順位情報を受信することをさらに含み、前記優先順位情報は、前記異なるＲＡＴのセルを測定するための順序を決定するために使用される
ことを特徴とする請求項７に記載の方法。
【請求項２６】
前記優先順位情報は、ＲＡＴ情報、周波数情報、およびセル情報のうちの少なくとも１つを含むことを特徴とする請求項２５に記載の方法。
【請求項２７】
前記予め定められた閾値が使用不可である場合、隣接セルは、常に測定されることを特徴とする請求項１に記載の方法。
【発明の詳細な説明】
【技術分野】
【０００１】
本出願は、無線通信に関する。
【背景技術】
【０００２】
第３世代パートナーシッププロジェクト（３ＧＰＰ）は、スペクトル効率の改良、待ち時間の低減、より高速のユーザ体験、並びにより豊富なアプリケーションおよびサービスを低コストで提供するために、新しい技術、新しいネットワークアーキテクチャおよび構成、ならびに新しいアプリケーションおよびサービスを無線セルラーネットワークにもたらすＬＴＥ（Ｌｏｎｇ  Ｔｅｒｍ  Ｅｖｏｌｕｔｉｏｎ）プログラムを開始した。ＬＴＥは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を実現することを目的としている。
【０００３】
ユニバーサル移動体通信システム（ＵＭＴＳ）では、無線送受信ユニット（ＷＴＲＵ）は、セルにキャンプオンすると（すなわち、ＷＴＲＵがセルを選択し、そのセルの制御チャネルに同調されると）、１組の基準に従って、更に好適なセルを定期的に検索する。より好適なセルが見つかった場合、そのセルが選択され、ＷＴＲＵは、そのセルにキャンプオンする。以前のＵＭＴＳシステムでは、ＷＴＲＵは、アイドルモード、フォワードアクセスチャネル（ＦＡＣＨ）モード、またはページングチャネル（ＰＣＨ）モードのいずれかで、セルの再選択を行うことができた。ＬＴＥでは、ＬＴＥ＿ＩｄｌｅおよびＬＴＥ＿Ａｃｔｉｖｅの２つの状態しかない。ＷＴＲＵは、ＬＴＥ＿Ｉｄｌｅ状態でしか、セルの再選択を行うことができない。
【０００４】
従来のＵＭＴＳシステムでは、ＷＴＲＵは、あるセルにキャンプオンすることを決定する前に、それがキャンプオンしている現在のセルについて、いくつかの基本的な基準をチェックすることが必要である。ＷＴＲＵがあるセルにキャンプオンするのに、条件Ｓｑｕａｌ＞０（セル選択品質値）およびＳｒｘｌｅｖ＞０（セル選択受信レベル値）が満たされる必要があり、この場合、Ｓｑｕａｌは、次のように測定される。
Ｓｑｕａｌ＝Ｅｃ／Ｉｏ−Ｑｑｕａｌｍｉｎ  式（１）
【０００５】
式中、Ｅｃ／Ｉｏ（チャネルにおける総電力に対する測定されるパイロット信号のエネルギーの比率）は、ＷＴＲＵによって測定され、値Ｑｑｕａｌｍｉｎ（そのセルにおける最小必要品質レベル（ｍｉｎｉｍｕｍ  ｒｅｑｕｉｒｅｄ  ｑｕａｌｉｔｙ  ｌｅｖｅｌ））は、システムによってブロードキャストされ、セル選択および再選択情報を含むシステム情報ブロック（ＳＩＢ）３から読み出される。Ｓｒｘｌｅｖは、次のように測定される。
Ｓｒｘｌｅｖ＝ＲＳＣＰ−Ｑｒｘｌｅｖｍｉｎ−ｍａｘ（ＵＥ＿ＴＸＰＷＲ＿ＭＡＸ＿ＲＡＣＨ−Ｐ＿ＭＡＸ，０）  式（２）
【０００６】
式中、受信信号コード電力（ｒｅｃｅｉｖｅｄ  ｓｉｇｎａｌ  ｃｏｄｅ  ｐｏｗｅｒ：ＲＳＣＰ）は、ＷＴＲＵによって測定され、Ｑｒｘｌｅｖｍｉｎ（そのセルにおける最小必要受信レベル（ｍｉｎｉｍｕｍ  ｒｅｑｕｉｒｅｄ  ｒｅｃｅｐｔｉｏｎ  ｌｅｖｅｌ））およびＵＥ＿ＴＸＰＷＲ＿ＭＡＸ＿ＲＡＣＨ（ランダムアクセスチャネル（ＲＡＣＨ）上でセルにアクセスするときにＷＴＲＵが使用し得る最大送信電力レベル）は、ＳＩＢ３から読み出される。Ｐ＿ＭＡＸは、ＷＴＲＵの最大無線周波数出力電力である。
【０００７】
Ｑｑｕａｌｍｉｎ、Ｑｒｘｌｅｖｍｉｎ、およびＵＥ＿ＴＸＰＷＲ＿ＭＡＸ＿ＲＡＣＨ以外の他のいくつかのパラメータは、セルの再選択のためにＳＩＢ３およびＳＩＢ１１で送信される。以下のパラメータは、ＳＩＢ３で送信される。
【０００８】
Ｓｉｎｔｒａｓｒｃｈ（オプション）は、周波数内測定（ｉｎｔｒａ−ｆｒｅｑｕｅｎｃｙ  ｍｅａｓｕｒｅｍｅｎｔｓ）をトリガするための閾値である。ＷＴＲＵは、Ｓｑｕａｌ≦Ｓｉｎｔｒａｓｒｃｈであるときに、周波数内隣接セルを測定するものとする。ＷＴＲＵは、Ｓｉｎｔｒａｓｒｃｈが指定されていないとき、常に周波数内隣接セルを測定する。
【０００９】
Ｓｉｎｔｅｒｓｒｃｈ（オプション）は、周波数間測定（ｉｎｔｅｒ−ｆｒｅｑｕｅｎｃｙ  ｍｅａｓｕｒｅｍｅｎｔｓ）をトリガするための閾値である。ＷＴＲＵは、Ｓｑｕａｌ≦Ｓｉｎｔｅｒｓｒｃｈであるときに、周波数間隣接セルを測定するものとする。ＷＴＲＵは、Ｓｉｎｔｅｒｓｒｃｈが指定されていないとき、常に周波数間隣接セルを測定する。
【００１０】
ＳｓｅａｒｃｈＲＡＴ（オプション）は、異なるＲＡＴの測定（ｉｎｔｅｒ−ＲＡＴ  ｍｅａｓｕｒｅｍｅｎｔｓ）をトリガするための閾値である。ＷＴＲＵは、Ｓｑｕａｌ≦ＳｓｅａｒｃｈＲＡＴであるときに、異なるＲＡＴの隣接セルを測定するものとする。ＷＴＲＵは、ＳｓｅａｒｃｈＲＡＴが指定されていないとき、常に異なるＲＡＴの隣接セルを測定する。
【００１１】
Ｑｈｙｓｔ１ｓは、ＲＳＣＰに基づくサービングセル（ｓｅｒｖｉｎｇ  ｃｅｌｌ）のランク付けに使用される。
【００１２】
Ｑｈｙｓｔ２ｓは、Ｅｃ／Ｉｏに基づくサービングセルのランク付けに使用される。
【００１３】
Ｑｑｕａｌｍｉｎは、Ｅｃ／Ｉｏに基づく、そのセルにおける最小必要品質測定である。
【００１４】
Ｑｒｘｌｅｖｍｉｎは、ＲＳＣＰに基づく、そのセルにおける最小必要受信レベルである。
【００１５】
ＵＥ＿ＴＸＰＷＲ＿ＭＡＸ＿ＲＡＣＨは、ＲＡＣＨ上でセルにアクセスするときにＷＴＲＵが使用し得る最大許容アップリンク（ＵＬ）送信（ＴＸ）電力である。
【００１６】
Ｔｒｅｓｅｌｅｃｔｉｏｎは、ＷＴＲＵがそのセルを再選択するために隣接セルがセル再選択基準を満たすべき時間量を示すタイマの値である。
【００１７】
セル選択および再選択品質測定は、Ｅｃ／ＩｏまたはＲＳＣＰのいずれかであり、ランク付けの基とすべき測定量を指定する。
【００１８】
隣接セル情報に関連する以下のパラメータは、ＳＩＢ１１で送信される。
【００１９】
隣接リスト（ＬＴＥにおいて、隣接セルリスト（ＮＣＬ）が低減された、またはないことを定義するために作用する）。
【００２０】
Ｑｏｆｆｓｅｔ１ｓ，ｎは、ＲＳＣＰに基づく、あるセルのランク付けに使用される品質オフセットである。
【００２１】
Ｑｏｆｆｓｅｔ２ｓ，ｎは、Ｅｃ／Ｉｏに基づく、あるセルのランク付けに使用される品質オフセットである。
【００２２】
ＵＥ＿ＴＸＰＷＲ＿ＭＡＸ＿ＲＡＣＨは、隣接セルの最大許容ＵＬ  ＴＸ電力である。
【００２３】
Ｑｑｕａｌｍｉｎは、Ｅｃ／Ｉｏに基づく最小必要品質測定である。
【００２４】
Ｑｒｘｌｅｖｍｉｎは、ＲＳＣＰに基づく最小必要受信レベルである。
【００２５】
これらのパラメータを使用して、ＷＴＲＵは、そのサービングセルおよび隣接セルをランク付けすることができる。ＵＭＴＳセルの場合、サービングセルのランク付けは、次のように得られる。
Ｒａｎｋ＿ｓ＝ＲＳＣＰ＋Ｑｈｙｓｔ１＋Ｑｏｆｆｍｂｍｓ  式（３）
【００２６】
ＵＭＴＳセル（隣接周波数間）の場合、隣接セルのランク付けは、次のように得られる。
Ｒａｎｋ＿ｎ＝ＲＳＣＰ−Ｑｏｆｆｓｅｔ１＋Ｑｏｆｆｍｂｍｓ  式（４）
【００２７】
また、ＧＳＭセルの場合、以下の通りである。
Ｒａｎｋ＿ｎ＝ＲＳＳＩ−Ｑｏｆｆｓｅｔ１＋Ｑｏｆｆｍｂｍｓ  式（５）
【００２８】
測定量がＥｃ／Ｉｏであるとき、類似のランク付け式を使用することができる。
【００２９】
信号値Ｑｏｆｆｍｂｍｓは、マルチメディアブロードキャスト−マルチキャストサービス（ＭＢＭＳ）優先周波数層（ｐｒｅｆｅｒｒｅｄ  ｆｒｅｑｕｅｎｃｙ  ｌａｙｅｒ：ＰＬ）に属するセル（サービングまたは隣接）に追加される。
【００３０】
ＬＴＥでは、再選択する対象として、２つのシステム、ＵＴＲＡＮおよびＧＥＲＡＮが存在するため、ＧＥＲＡＮ−ＵＴＲＡＮセル再選択手順を見ることも役立つ。以下は、ＧＥＲＡＮからＵＭＴＳへのセル再選択に使用される３つのパラメータである。
【００３１】
Ｑｓｅａｒｃｈ＿Ｉ：サービングＧＳＭセルの強度がこの値を下回る場合、ＷＴＲＵは、測定を開始する。
【００３２】
ＦＤＤ＿Ｑｏｆｆｓｅｔ：ＷＣＤＭＡセルのＲＳＳＩがサービングＧＳＭセルのＲＳＳＩより高くなければならない量。
【００３３】
ＦＤＤ＿Ｑｍｉｎ：ＵＴＲＡＮ  ＦＤＤセル再選択の場合のＥｃ／Ｎｏについての最小閾値。
【００３４】
ＧＳＭでの無線リソース層（ＲＲ）は、ＥｃＩｏ＿ＡｖｇとＦＤＤ＿Ｑｍｉｎ＿ｄＢとを比較する。ＥｃＩｏ＿ＡｖｇがＦＤＤ＿Ｑｍｉｎ＿ｄＢ未満である場合、セル再選択は行われない。ＥｃＩｏ＿ＡｖｇがＦＤＤ＿Ｑｍｉｎを上回る場合、ＷＣＤＭＡセルとサービングＧＳＭセルとを比較する。ＦＤＤ＿Ｑｏｆｆｓｅｔ≠０では、ＷＣＤＭＡセルのＲＳＣＰがＧＳＭセルのＲＳＳＩ＋ＦＤＤ＿Ｑｏｆｆｓｅｔを上回る場合、またはＦＤＤ＿Ｑｏｆｆｓｅｔ＝０では、ＷＣＤＭＡセルのＲＳＣＰがＧＳＭセルのＲＳＳＩを上回る場合、ＷＣＤＭＡ隣接セルがより望ましい。
【００３５】
セル再選択の上記の基準を使用することによって、セルローディングおよびＷＴＲＵ帯域幅の性能などのいくつかの因子は考慮されていない。これらの因子は、直交周波数分割多重（ＯＦＤＭ）を物理層媒体とするＬＴＥにおいて関連性がある。さらに、以下の表に記載したセル再選択で考慮され得る他の因子またはドライバがある。表において、Ｌ→Ｌは、ＬＴＥからＬＴＥへの周波数間の移動、Ｌ→Ｕは、ＬＴＥからＵＴＲＡＮへの異なるＲＡＴ間の移動、Ｕ→Ｌは、ＵＴＲＡＮからＬＴＥへのＲＡＴ間の移動、Ｌ→Ｇは、ＬＴＥからＧＥＲＡＮへのＲＡＴ間の移動、Ｇ→Ｌは、ＧＥＲＡＮからＬＴＥへのＲＡＴ間の移動を示す。表において、「Ｘ」の値は、ドライバが必要であることを示し、「（Ｘ）」の値は、ドライバはオプションであることを示し、空欄は、ドライバは不要であることを示す。
【００３６】
【表１】
2010531577.tif 000003
【００３７】
【表２】
2010531577.tif 000004
【００３８】
ＷＴＲＵおよびネットワークがどのようにこれらのパラメータを信号で伝え合うか、およびＷＴＲＵが、そのセル再選択の式において、どのようにこれらのパラメータを使用するかに関して、手順を定義する必要がある。さらに、セル再選択のためのいくつかのパラメータは、いくつかのシナリオにおいて、他のパラメータより優先させることができる。セル再選択のための全手順を設計する際に、これらの因子も考慮に入れる必要がある。ＬＴＥでは、再選択することができる対象として、２つのシステムが存在するため、セルの再選択のためにいくつかのパラメータを最適化することができるかどうかを見ておく必要もある。
【発明の概要】
【発明が解決しようとする課題】
【００３９】
異なるＲＡＴのセル再選択のためのいくつかのパラメータが提案されており、以下で説明する。本開示は、異なるＲＡＴのセル再選択アルゴリズムについて記載し、ＬＴＥからの異なるＲＡＴのセル再選択のために信号で伝える必要があるオフセットおよび無線状態ベースのパラメータについて説明する。また、ＵＴＲＡＮおよびＧＳＭのシステムを考慮に入れるために、ＬＴＥにおいてセル再選択アルゴリズムをどのように定義することができるかについても説明する。
【課題を解決するための手段】
【００４０】
セル再選択を行うための方法は、まず、現在のセル選択品質値を決定する。セル選択品質値は、予め定められた閾値と比較される。セル選択品質値が予め定められた閾値以下である場合、隣接セルの測定が行われる。同一周波数セル（ｉｎｔｒａ−ｆｒｅｑｕｅｎｃｙ  ｃｅｌｌ）、異周波数セル（ｉｎｔｅｒ−ｆｒｅｑｕｅｎｃｙ  ｃｅｌｌ）、および異なる無線アクセス技術間セルの測定を行うことができる。測定に基づいて、現在のセルより良い隣接セルが見つかった場合、より望ましい隣接セルが再選択される。
【００４１】
添付の図面と共に例として示される以下の説明から、より詳しい理解が得られよう。
【図面の簡単な説明】
【００４２】
【図１】基本的なセル再選択手順を示すフローチャートである。
【図２】再選択に適したセルを選択するための方法を示すフローチャートである。
【図３】異なるＲＡＴのセルの検索のための方法を示すフローチャートである。
【図４】異なるＲＡＴのセルを再選択するように構成されたＷＴＲＵを示すブロック図である。
【発明を実施するための形態】
【００４３】
以下で参照するとき、「無線送受信ユニット（ＷＴＲＵ）」という用語は、それだけには限定されないが、ユーザ機器（ＵＥ）、移動局、固定式または携帯式の加入者ユニット、ページャ、セルラー電話、個人用デジタル補助装置（ＰＤＡ）、コンピュータ、または無線環境で動作することができる他の任意のタイプのユーザ装置を含む。以下で参照するとき、「基地局」という用語は、それだけに限定されないが、Ｎｏｄｅ  Ｂ、サイトコントローラ、アクセスポイント（ＡＰ）、または無線環境で動作することができる他の任意のタイプのインターフェイス装置を含む。
【００４４】
まず、ＬＴＥから３ＧＰＰ、およびＬＴＥから非３ＧＰＰへの両方の異なるＲＡＴのセル再選択に使用することができる異なる無線状態関連のパラメータについて説明し、次いで、セル再選択アルゴリズムについて説明する。
【００４５】
測定量
【００４６】
以前のＵＭＴＳのバージョンでは、測定量は、Ｅｃ／ＩｏまたはＲＳＣＰであった。しかし、ＬＴＥでは、測定量は、まだ決定されていない。ＬＴＥにおける測定として、ＲＳＣＰと同様に使用することができる参照シンボル受信電力（Ｒｅｆｅｒｅｎｃｅ  Ｓｙｍｂｏｌ  Ｒｅｃｅｉｖｅｄ  Ｐｏｗｅｒ：ＲＳＲＰ）、およびＥｃ／Ｉｏと同様に使用することができる参照シンボル受信品質（Ｒｅｆｅｒｅｎｃｅ  Ｓｙｍｂｏｌ  Ｒｅｃｅｉｖｅｄ  Ｑｕａｌｉｔｙ：ＲＳＲＱ）を使用することができる。
【００４７】
以下の説明では、測定量としてＲＳＲＰおよびＲＳＲＱを使用するが、他の測定量を使用することもできる。適応性のあるセル再選択およびハンドオーバーの以下の解決策を、現在のＵＭＴＳシステムおよびＬＴＥの両方に適用することができる。例えば、以下の式において、量ＲＳＲＱは、他の任意の適した「信号品質」測定によって代用することができ、量ＲＳＣＰは、他の任意の適した「信号レベル」測定、または他の任意の適した測定によって代用することができる。
【００４８】
基本的なセル再選択手順
【００４９】
図１は、基本的なセル再選択手順１００のフローチャートである。ＷＴＲＵは、最初に、あるセル（現在のサービングセル）にキャンプオンする（ステップ１０２）。ＷＴＲＵは、隣接セルを選択し（ステップ１０４）、選択されたセルを評価して、それがキャンプオンに適しているかどうかを決定する（ステップ１０６）。選択されたセルが適していない場合、まだ評価されていない隣接セルがさらにあるかどうかに関する決定が行われる（ステップ１０８）。評価すべきセルがそれ以上ない場合、この方法は終了する（ステップ１１０）。評価すべきセルがさらにある場合（ステップ１０８）、ＷＴＲＵは、別の隣接セルを選択し（ステップ１１２）、選択されたセルを評価して、それがキャンプオンに適しているかどうかを決定する（ステップ１０６）。
【００５０】
選択されたセルがキャンプオンに適している場合（ステップ１０６）、適したセルが、予め定められたマージンだけ現在のサービングセルより良いかどうかに関する決定が行われる（ステップ１１４）。適したセルが予め定められたマージンだけサービングセルより良くなければならない理由は、再選択手順で、現在のサービングセルよりほんのわずかに良いセルを再選択されるのを避けることができるようにするためである。品質差のマージンを必要とすることによって、不要なセルの（ＷＴＲＵバッテリ電力を浪費することになる）再選択を回避することができる。
【００５１】
適したセルが、予め定められたマージンだけ現在のサービングセルより良いわけではない場合、まだ評価されていない隣接セルがさらにあるかどうかに関する決定が行われ（ステップ１０８）、この方法１００は、上述したように続行する。適したセルが少なくとも予め定められたマージンだけ現在のサービングセルより良い場合（ステップ１１４）、適したセルをキャンプオンするように選択することができ（ステップ１１６）、この方法は、終了する（ステップ１１０）。キャンプオンに適したセルがいったん見つかると、考えられる適したセルをさらに検索し続ける必要はない。というのは、追加の検索は、ＷＴＲＵのバッテリ電力を消費することになるからである。
【００５２】
再選択手順に使用されるパラメータ
【００５３】
ＬＴＥからＧＥＲＡＮへのハンドオーバーの場合、ＵＴＲＡＮからＧＥＲＡＮへのハンドオーバーに使用されるものに類似したパラメータを使用することができる。ＬＴＥからＵＴＲＡＮへのハンドオーバーの場合、ＧＥＲＡＮからＵＴＲＡＮへのハンドオーバーに使用されるものに類似したパラメータを使用することができる。これらのパラメータは、ＬＴＥから非３ＧＰＰ  ＲＡＴのパラメータを含むように拡張することができ、これは、ＷＣＤＭＡ（ＵＴＲＡＮ）またはＧＥＲＡＮから非３ＧＰＰ  ＲＡＴにも適用可能であり得る。以下は、ＧＳＭおよびＵＴＲＡＮの測定の場合に、ＷＴＲＵに信号で伝えられるＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ：絶対無線周波数チャネル番号）およびＵＡＲＦＣＮ（ＵＭＴＳ  Ａｂｓｏｌｕｔｅ  Ｒａｄｉｏ  Ｆｒｅｑｕｅｎｃｙ  Ｃｈａｎｎｅｌ  Ｎｕｍｂｅｒ：ＵＭＴＳ絶対無線周波数チャネル番号）以外の定義されたパラメータである。
【００５４】
以下のパラメータは、異なるＲＡＴのセル再選択に固有であり、以前のＵＭＴＳシステムの「Ｑｑｕａｌｍｉｎ」または「セル再選択または品質測定」などのパラメータも必要である。パラメータ名は、異なっても、類似のパラメータの使用により、以下に記載するセル再選択アルゴリズムに悪影響を与えないようにすることに留意されたい。
【００５５】
１．ＳｓｅａｒｃｈＲＡＴ。ＬＴＥセルの場合、ＳｑｕａｌがＳｓｅａｒｃｈＲＡＴ以下であるとき、ＷＴＲＵは、異なるＲＡＴのセルの測定を開始するものとし、この場合、以下の通りである。
Ｓｑｕａｌ＝ＲＳＲＱ−Ｑｑｕａｌｍｉｎ  式（６）
【００５６】
また、Ｑｑｕａｌｍｉｎは、ネットワークによって信号で伝えられる。ネットワークは、異なるＲＡＴについて異なる閾値を有することを望む場合、対応している異なるＲＡＴごとにＳｓｅａｒｃｈＲＡＴの異なる値を信号で伝えることができる。任意の測定サイクルで、ＳｑｕａｌがＳｓｅａｒｃｈＲＡＴより大きい場合、ＷＴＲＵは、異なるＲＡＴのセルの測定を停止する。
【００５７】
あるいは、ネットワークは、いくつかの非３ＧＰＰ  ＲＡＴを常に測定するようにＷＴＲＵを構成することを望む場合がある。非３ＧＰＰシステムカバレージがある場合（すなわち、３ＧＰＰカバレージに重なるＷｉＭａｘカバレージ）、３ＧＰＰシステムの信号またはサービス品質が良い（すなわち、測定がトリガされていないこと、または提供される信号強度が特定の閾値を超えることを意味する）場合でさえ、ネットワークは、非３ＧＰＰ  ＲＡＴを優先することができる。これは、（すなわち支払いのために）使用可能である場合はいつでも、ＷＴＲＵが別のＲＡＴに接続することをネットワークまたはユーザが望む場合に好ましい場合がある。この優先順位の構成をＷＴＲＵに信号で伝えるのは、ブロードキャスト情報により、専用のメッセージングを介して、ＷＴＲＵにおいて予め構成する（すなわち（Ｕ）ＳＩＭで）、または３ＧＰＰの信号品質が良いときでさえ、ＷＴＲＵが異なるＲＡＴのセルを測定するように、非３ＧＰＰシステムのＳｓｅａｒｃｈＲＡＴ値に大きい値を設定することによって行うことができる。
【００５８】
２．Ｔｍｅａｓ。ＬＴＥ＿Ｉｄｌｅモードでの２つの連続する測定間の秒数。間欠受信（ｄｉｓｃｏｎｔｉｎｕｏｕｓ  ｒｅｃｅｐｔｉｏｎ：ＤＲＸ）サイクルの長さに基づいて、このパラメータは、「Ｘ」ＤＲＸサイクルごとに測定を行うことになる。
【００５９】
このパラメータが信号で伝えられる場合、サービングセルにおいて「Ｎ」回連続するＤＲＸサイクルでＳ基準が満たされなかった場合、ＷＴＲＵが異なるＲＡＴのセルの測定を行うことができることも提案されており、この場合、Ｎは、Ｘ以下であり、Ｎは、（１・・・Ｘ）の範囲内である。Ｓ基準は、以前のＵＭＴＳシステムと同様の方法で定義することができ、すなわち、Ｓｑｕａｌは、式６で上述したように定義され、
Ｓｒｘｌｅｖ＝ＲＳＲＰ−Ｑｒｘｌｅｖｍｉｎ−ｍａｘ（ＵＥ＿ＴＸＰＷＲ＿ＭＡＸ＿ＲＡＣＨ−Ｐ＿ＭＡＸ，０）  式（７）
である。
【００６０】
ＲＳＲＰは、ＷＴＲＵによって測定され、ＱｒｘｌｅｖｍｉｎおよびＵＥ＿ＴＸＰＷＲ＿ＭＡＸ＿ＲＡＣＨは、ネットワークによって送信される。
【００６１】
Ｔｍｅａｓの値がＷＴＲＵに信号で伝えられない場合、異なるＲＡＴのセルが測定されるべき頻度に関するＷＴＲＵの実装に任せられることになる。Ｔｍｅａｓの複数の値を信号で伝えることもでき、これは、チャネル状態に応じて、ＷＴＲＵによって使用することができる。例えば、ＷＴＲＵは、経験しているチャネル状態が悪い場合、チャネルをより頻繁に測定することができる。サービングセルの信号が予め定められた閾値を下回るときは、チャネル状態が悪い。予め定められた閾値は、ネットワークによって構成することができ、または、ＷＴＲＵが閾値を内部で選択することができる。したがって、予め定められた閾値は、実装に固有である。ＷＴＲＵは、経験しているチャネル状態が良い場合、チャネルをあまり頻繁に測定しなくてよい。あるいは、チャネル状態が悪い間、測定間隔を低減したいとき、Ｔｍｅａｓの単一の値を、ＷＴＲＵによって乗じることができる倍率と共に信号で伝えることができる。ＷＣＤＭＡ、ＧＳＭ、または他の非３ＧＰＰ技術について、異なるＴｍｅａｓ値を信号で伝えることができる。
【００６２】
３．Ｑｍｉｎ。これは、ＷＴＲＵがＵＴＲＡＮ、ＧＥＲＡＮ、および他の非３ＧＰＰのセルをランク付けするために、これらのセルの品質が上回るべき閾値である。ＵＴＲＡＮ、ＧＥＲＡＮ、および他の非３ＧＰＰのセルについて、異なるパラメータを信号で伝える必要がある場合があることに留意されたい。このパラメータが信号で伝えられない場合、ＷＴＲＵは、隣接するＲＡＴにおいて検出したすべてのセルをランク付けし、それによって、行う必要があるランク付けおよび比較の数が増加することになる。Ｑｍｉｎによって示される量は、サービングセルについて、ＷＴＲＵで行われるべき測定のタイプによって決まることに留意されたい。例えば、ＷＴＲＵがＲＳＲＰを測定する場合、Ｑｍｉｎは、同様の単位で定義される。
【００６３】
４．Ｔｒｅｓｅｌ。これは、異なるＲＡＴの隣接セルのランクがサービングセルのランクより高いと評価された後、ＷＴＲＵがＷＣＤＭＡ、ＧＳＭ、または非３ＧＰＰ  ＲＡＴセルを再選択することを待つ必要がある時間間隔である。Ｔｒｅｓｅｌは、ネットワークによって送信されない場合、実装により定義することができる。同一周波数セル（ｉｎｔｒａ−ｆｒｅｑｕｅｎｃｙ  ｃｅｌｌ）、異周波数セル（ｉｎｔｅｒ−ｆｒｅｑｕｅｎｃｙ  ｃｅｌｌ）、または異なるＲＡＴのセルに同じＴｒｅｓｅｌ値を使用することができる。一実装において、イベントごとに異なるＴｒｅｓｅｌ値をネットワークによって信号で伝えることができる。
【００６４】
５．Ｑｈｙｓｔ。これは、ＬＴＥにおけるサービングセルのランク付けに追加されるオフセットである。ＬＴＥにおけるサービングセルのランクは、以下によって決定される。
Ｒａｎｋ＿ｓ＝ＲＳＲＰ＋Ｑｈｙｓｔ＋（他のいくつかのパラメータ）  式（８）
【００６５】
「他のいくつかのパラメータ」は、セルローディング、ＷＴＲＵ帯域幅、または加入接続の能力に関する。ネットワークは、以前のＵＭＴＳシステムでのＲＳＲＰおよびＲＳＲＱのように、Ｑｈｙｓｔの２つの別個の値（例えばＱｙｓｔ１およびＱｈｙｓｔ２）を信号で伝える必要があることに留意されたい。
【００６６】
６．Ｑｏｆｆｓｅｔ。これは、隣接セルのランク付けから差し引かれるオフセットである。隣接セルのランクは、以下によって決定される。
Ｒａｎｋ＿ｎ＝ＲＳＲＰ−Ｑｏｆｆｓｅｔ＋（他のいくつかのパラメータ）  式（９）
【００６７】
一般に、ＷＴＲＵができるだけ長く現在のセルにキャンプオンしたままでいることが好ましい。ある隣接セルを再選択する前に、その隣接セルは、サービングセルより少なくとも何らかの最低量（Ｑｏｆｆｓｅｔ）だけ望ましいものとする。隣接セルがサービングセルより少なくともＱｏｆｆｓｅｔだけ望ましくなければならないようにすることにより、わずかに良いセルを再選択してＷＴＲＵバッテリ電力およびシステムリソースの消費することを回避する。
【００６８】
パラメータＱｈｙｓｔおよびＱｏｆｆｓｅｔは、周波数内システム、周波数間システム、および異なるＲＡＴのシステムに共通にすることもでき、それによって、信号で伝えるべきパラメータの数を低減することができることに留意されたい。異なるシステムにわたる再選択を最適化するために、異なるパラメータを信号で伝えてもよい。非３ＧＰＰシステムでは、ネットワークは、非３ＧＰＰ  ＲＡＴに固有のＱｈｙｓｔおよびＱｏｆｆｓｅｔの追加の値をブロードキャストすることを選択することができる。また、ＱｈｙｓｔおよびＱｏｆｆｓｅｔがネットワークによって信号で伝えられないとき、ＷＴＲＵは、セルのランク付けのために、ＬＴＥにおけるサービングセルの強度対ＵＴＲＡＮ、ＧＥＲＡＮ、または非３ＧＰＰ  ＲＡＴにおけるサービングセルの強度の比較を行うことになる。ネットワークは、ＲＡＴのうちの１つを優先する場合、他のＲＡＴ（３ＧＰＰおよび非３ＧＰＰ）のそれぞれについて異なるＱｏｆｆｓｅｔまたはＱｈｙｓｔ値を信号で伝えることができる。
【００６９】
７．ＧＳＭおよびＵＴＲＡＮ中心周波数／セルＩＤ。ＬＴＥネットワークは、ＷＴＲＵがこれらのネットワークにおいて測定を行うために、ブロードキャストメッセージでＧＳＭおよびＵＭＴＳネットワークのＡＲＦＣＮおよびＵＡＲＦＣＮを送信する必要がある。ネットワークは、そのように望む場合、ＧＳＭセルではＢＳＩＣ（基地局識別コード）ＩＤ、およびＵＴＲＡＮではＰＳＣ（プライマリスクランブリングコード（ｐｒｉｍａｒｙ  ｓｃｒａｍｂｌｉｎｇ  ｃｏｄｅ））を送信することを決定することもできる。このパラメータで、ネットワークは、ＷＴＲＵに、測定を行うべきすべての周波数を知らせる。
【００７０】
８．異なるＲＡＴの再選択の優先順位。これは、異なるＲＡＴの再選択の間、ＷＣＤＭＡ、ＧＳＭ、または何らかの非３ＧＰＰ  異なるＲＡＴのセルに、他より高い優先順位を与える必要があるかどうかを示す、ネットワークによって信号で伝えられるオプションのパラメータである。これは、値ＷＣＤＭＡ、ＧＳＭ、または任意の他の非３ＧＰＰの異なるＲＡＴの値を持つ列挙フィールドとすることができる。このパラメータが指定された場合、指定されたＲＡＴが最初に検索される。指定されたＲＡＴにおいて適したセルが探索されない場合、他のＲＡＴにおいて検索が行われることになる。このパラメータが指定されていない場合、ＷＴＲＵは、すべてのＲＡＴ（ＷＣＤＭＡ、ＧＳＭ、および他の非３ＧＰＰ  ＲＡＴセル）を並列で測定し、次いでより良いランクのＲＡＴを再選択することになる。
【００７１】
９．非３ＧＰＰ  ＲＡＴ周波数／セルＩＤ。ＷＴＲＵがＷＬＡＮ、ＷｉＭａｘなど非３ＧＰＰ  ＲＡＴからのセルの測定を行うことをネットワークが望む場合、ネットワークは、ＷＴＲＵがこれらのネットワークにおいて測定を行うために、パラメータをブロードキャストメッセージにより信号で伝える。ネットワークは、これらのセルのセルＩＤを送信することもできる。例えば、ネットワークは、特定のセルＩＤ（すなわち、ＷＬＡＮの場合のＭＡＣ、ＷｉＭａｘの場合のＢＳＩＤ）、リストに挙げられたセルの動作周波数、および非３ＧＰＰ  ＲＡＴの測定を行うためにＷＴＲＵが必要とする他の任意の物理層情報をブロードキャストすることができる。
【００７２】
パラメータＧＳＭおよびＵＴＲＡＮ中心周波数／セルＩＤおよび非３ＧＰＰ  ＲＡＴ周波数／セルＩＤを結合して、単一のパラメータにすることができることに留意されたい。異なるＲＡＴのためのこれらのパラメータ、および周波数間および周波数内に関する他のセル再選択パラメータを、ブロードキャストメッセージを介して信号で伝える代わりに、ネットワークは、パラメータを、専用のメッセージを介して信号で伝えることができる。次いで、ＷＴＲＵは、ＬＴＥ＿Ｉｄｌｅモードになると、使用する受信パラメータを格納する。専用のメッセージを使用することにより、大量のパラメータのブロードキャストに関連する余分なオーバーヘッドが低減する。
【００７３】
再選択手順のためのアルゴリズム
【００７４】
上述したパラメータに基づいて、セル再選択のための以下のアルゴリズムを提案する。本明細書に記載した方法は、ＬＴＥに適用されるが、これは、非３ＧＰＰ  ＲＡＴへのハンドオーバー／セル再選択をサポートする任意の３ＧＰＰ技術（例えば、ＷＣＤＭＡ  Ｒｅｌｅａｓｅ  ８など）にも同様に適用可能である。
【００７５】
一般に、ＷＴＲＵは、別のＲＡＴを再選択することを決定したときは、一定の順序に従わなければならない。現在のサービングセルがＷＴＲＵのキャンプオンにもはや適していない場合、ＷＴＲＵは、まず、現在のセルと同じ周波数のすべてのセルを探索する。第２に、ＷＴＲＵは、現在のサービングセルと同じＲＡＴに属するすべての隣接する周波数を探索する。第３に、ＷＴＲＵは、隣接するＲＡＴを探索する。ＷＴＲＵは、より高いレベルで適しているセルを探すことができない場合、単に探索プロセスを（同一周波数から異周波数、異なるＲＡＴへと）順に処理して行く。
【００７６】
図２は、再選択に適したセルを選択するための方法２００のフローチャートである。ＷＴＲＵは、最初に、あるセル（現在のサービングセル）にキャンプオンする（ステップ２０２）。現在のサービングセルの品質が特定の閾値を下回ると、すなわちＳｑｕａｌ（上記で定義した）がＳｉｎｔｒａｓｒｃｈ以下になると（ステップ２０４）、ＷＴＲＵは、他の同一周波数セルの測定を開始する（ステップ２０６）。ＷＴＲＵは、サービングセルより良いランクの同一周波数セルを見つけると（ステップ２０８）、より良いセルをキャンプオンするように選択し（ステップ２１０）、この方法が終了する（ステップ２１２）。
【００７７】
ＷＴＲＵは、測定手順で、サービングセルより良いランクの任意の同一周波数セル、またはＳ基準を満たす任意の隣接セルを見つけることができない場合（ステップ２０８）、ＬＴＥに留まろうとするために、異周波数セルを評価する。異周波数の探索では、ＳｑｕａｌがＳｉｎｔｅｒｓｒｃｈ以下であるとき、測定が開始され（ステップ２１４）、この場合、Ｓｉｎｔｅｒｓｒｃｈは、ネットワークによって送信される。ＳｑｕａｌがＳｉｎｔｅｒｓｒｃｈ以下である場合、ＷＴＲＵは、異周波数セルの測定を開始する（ステップ２１６）。
【００７８】
あるいは、同一周波数探索基準が満たされると、ＷＴＲＵは、同一周波数セルおよび異周波数セルの両方を並列して測定する。別の代替として、周波数内および周波数間の探索基準を並列して評価し、両方の基準が満たされると、並列して測定を行うことができる。
【００７９】
ＳｉｎｔｒａｓｒｃｈもＳｉｎｔｅｒｓｒｃｈもネットワークによって送信されない場合、ＷＴＲＵは、ＬＴＥにおいて同一周波数セルの測定を常に行うことになる。異周波数セルの場合、ＷＴＲＵは、同一周波数セルと並列して測定を行うか、サービングセルの品質が特定の閾値を下回るとき、例えばＳ基準を満たさない（すなわち、Ｓｑｕａｌ＜０またはＳｒｘｌｅｖ＜０）ことによって、異なる周波数の測定を行うことができる。
【００８０】
ＷＴＲＵは、サービングセルより良いランクの異周波数セルを見つけると（ステップ２１８）、より良いセルをキャンプオンするように選択し（ステップ２１０）、この方法が終了する（ステップ２１２）。
【００８１】
ＷＴＲＵは、適した任意の同一周波数セルまたは異周波数セルを見つけることができない場合（ステップ２１８）、すなわちＳｑｕａｌがＳｓｅａｒｃｈＲＡＴ以下であるという、異なるＲＡＴのセルを測定するための基準を評価する（ステップ２２０）。パラメータＳｓｅａｒｃｈＲＡＴがネットワークによって送信されない場合、ＷＴＲＵは、適した任意の同一周波数セルまたは異周波数セルを見つけることができないとき、異なるＲＡＴのセル（ＷＣＤＭＡ、ＧＳＭ、非３ＧＰＰ  異なるＲＡＴのセルを含む）の測定を開始することになる。
【００８２】
あるいは、同一周波数基準が満たされないと、ＷＴＲＵは、異周波数基準および異なるＲＡＴの基準を一緒に評価することができる。両方の基準が満たされた場合、ＷＴＲＵは、異周波数セルおよび異なるＲＡＴのセルの測定を同時に開始することができる。これは、チャネル状態が急速に悪化しているときに有用な選択肢であり得る。チャネル状態が急速に悪化しているときの一例は、ＷＴＲＵがセルから離れつつある場合、および現在の周波数のカバレージから出る場合である。あるいは、現在の３ＧＰＰセルが基準を満たす場合でさえ、ＷＴＲＵは、常に、いくつかの３ＧＰＰまたは非３ＧＰＰ  ＲＡＴを測定することができる。この代替は、特定のＲＡＴがカバレージを有する（すなわち、他方のＲＡＴの優先順位が高い、またはＷＴＲＵが現在、優先順位が低いＲＡＴにキャンプオンしている）ときはいつでも、ネットワークがＷＴＲＵを常に何らかのネットワークに接続されるように構成している場合、好ましい可能性がある。
【００８３】
異なるＲＡＴのセルの測定の基準のうちの任意のものが満たされる（ステップ２２０）、またはＷＴＲＵが常に測定を行うように構成されている場合、ＷＴＲＵは、異なるＲＡＴのセルの測定を開始する（ステップ２２２）。ＷＴＲＵは、サービングセルより良いランクの異なるＲＡＴのセルを見つけると、より良いセルをキャンプオンするように選択し（ステップ２１０）、この方法が終了する（ステップ２１２）。ＷＴＲＵは、サービングセルより良いランクの任意の異なるＲＡＴのセルを見つけなかった場合（ステップ２２４）、現在のサービングセルにキャンプオンしたままでいる。ＷＴＲＵは、上述したように、品質が特定の閾値を下回るかどうかを決定するために（ステップ２０４）、現在のサービングセルの品質を監視する。
【００８４】
異なるＲＡＴの探索の実行
【００８５】
図３は、異なるＲＡＴのセルの探索のための方法３００のフローチャートであり、これは、方法２００によってＷＴＲＵが異なるＲＡＴのセルを測定するとき（ステップ２２２）に使用することができる。異なるＲＡＴの探索基準が満たされた後、ＷＴＲＵは（優先順位が割り当てられているかどうかに応じて）、以下のＲＡＴのうちの１つまたは組み合わせの測定を開始することができる。
【００８６】
ＷＴＲＵが異なるＲＡＴを評価する順序は変更することができ、方法３００は、一例を示すのみであることに留意されたい。測定の順序は、変更することができ、方法３００の操作全体に影響を与えない。別の例として、ＧＳＭおよびＷＣＤＭＡのセルを、並列して測定することができる。さらに、ＲＡＴの測定順序の優先順位は、ネットワークによって割り当てることができる。特に明記してない限り、３ＧＰＰセルは、非３ＧＰＰセルより優先順位が高いが、ネットワークは、３ＧＰＰ  ＲＡＴより非３ＧＰＰ  ＲＡＴの優先順位が高いことを指示することができる。この優先順位は、ＷＴＲＵ起動時にＳＩＢを介して、または優先順位をリアルタイムで変更することができる専用のシグナリングを介して信号で伝えることができる。
【００８７】
ＷＴＲＵは、ＧＳＭセルを測定する（ステップ３０２）。ＧＳＭセルのＡＲＦＣＮは、システム情報メッセージにリストされている。ＡＲＦＣＮがＳＩＢに挙げられていない場合、ＷＴＲＵは、ＧＳＭ周波数を検出するために、全周波数のスキャンを行う。
【００８８】
ＷＴＲＵは、ＷＣＤＭＡセルを測定する（ステップ３０４）。ＷＣＤＭＡセルの場合、ＷＴＲＵは、まず、ＳＩＢにリストされているＵＡＲＦＣＮについてのパイロット識別を行う必要がある。あるいは、ＵＡＲＦＣＮが挙げられていない場合、ＷＴＲＵは、ＷＣＤＭＡ周波数を検出するために、全周波数のスキャンを行う。パイロット識別を行うために、ＷＴＲＵは、Ｐ−ＳＣＨ（プライマリ同期チャネル）の復号、Ｓ−ＳＣＨ（セカンダリ同期チャネル）の復号、およびスクランブリングコードにおける復号およびラッチングの３段階処理を行う。パイロット識別が完了すると、ＷＴＲＵは、ＷＣＤＭＡセルを測定する。ネットワークがＵＡＲＦＣＮと共にＰＳＣを信号で伝える場合、ＷＴＲＵは、パイロット識別プロセスを行う必要はなく、ＰＳＣに対して直接測定を行うことができる。
【００８９】
非３ＧＰＰ  ＲＡＴの場合、ＷＴＲＵは、ＳＩＢにリストされている周波数について、セルの測定を開始する。周波数が挙げられていない場合、ＷＴＲＵは、周波数を検出するために、全周波数のスキャンを行う。いくつかの非３ＧＰＰ  ＲＡＴでは、ＷＴＲＵは、ＷＣＤＭＡの場合と同様に、それがセルの測定を開始することができるようになる前に、セル識別を行う必要がある場合がある。
【００９０】
次いでＷＴＲＵは、ネットワークによって送信されたＱｍｉｎの値と共に、構成、閾値、および割り照られた優先順位に応じて、ＧＳＭ、ＷＣＤＭＡ、および／または非３ＧＰＰ  ＲＡＴセルを評価する（ステップ３０６）。ＷＴＲＵは、単に、セルのランク付けをトリガするために、Ｑｍｉｎより高い品質を有するセルを選択する（ステップ３０８）。
【００９１】
ＷＴＲＵは、Ｔｍｅａｓ間隔ごとに異なるＲＡＴのランク付けを行う。Ｔｍｅａｓの値が信号で伝えられない場合、２つの連続するランク付けの間の時間間隔は、実装により定義することができる。ランク付けの式を展開するために、ＷＴＲＵは、オフセットおよび上述した他の無線状態関連のパラメータを使用し、既存のセル再選択手順を使用し、他のドライバを組み込むことができる。
【００９２】
Ｘ回連続するＤＲＸサイクルで、サービングセルがＳ基準を下回り（ステップ３１０）、異周波数セルが見つからない場合、ＷＴＲＵは、Ｔｍｅａｓ間隔が完了していなくても、異なるＲＡＴのセルをすぐにランク付けすることができる（ステップ３１２）。
【００９３】
これらの再選択の間、ＷＴＲＵは、異なるＲＡＴのセルをＬＴＥセルより高くランク付けしている場合、ネットワークによって信号で伝えることができる場合はＴｒｅｓｅｌタイマを開始する、または、実装に依存する再選択を行うだけの値の間待つことができる。あるいは、ＷＴＲＵは、ＬＴＥセルより高くない場合でさえ、異なるＲＡＴのセルをランク付けすることができる。例えば、これは、ネットワークが、使用可能な場合はＷｉＭａｘセルへの接続を試みるようにＷＴＲＵを構成している場合、さらには３ＧＰＰセルが基準を満たす場合（すなわち、信号強度が良い）に行われ得る。他のＲＡＴセルは、ランク付けされ、それらが満たす必要のある唯一の基準は、他方のＲＡＴにおいて測定される信号強度が、所与の期間の間、構成された閾値より高いこととすることができる。この基準が満たされた場合、ＷＴＲＵは、他方のＲＡＴを再選択することができる。
【００９４】
Ｔｒｅｓｅｌ期間の最後に、ＷＣＤＭＡセルがより強力であることがわかった場合、ＷＴＲＵは、まず、それが再選択する予定であるＰＳＣが有効なＰＳＣであることを確認するために、検出されたスクランブリングコードの測定を行うことによって、ＰＳＣ  ＩＤの再確認を行う。次いでＷＴＲＵは、そのＷＣＤＭＡセルを再選択することになる。
【００９５】
Ｔｒｅｓｅｌ期間の最後に、ＧＳＭセルがより強力であることがわかった場合、ＷＴＲＵは、まず、ＢＳＩＣ識別を行い、ＢＳＩＣが識別されると、ＷＴＲＵは、そのＧＳＭセルを再選択する。ＢＳＩＣの再確認は、隣接リストにおいてそのＢＳＩＣ  ＩＤがすでに指定されているかどうかに応じて、必要である場合も必要でない場合もある。
【００９６】
Ｔｒｅｓｅｌ期間の最後に、非３ＧＰＰ  ＲＡＴセルがより強力であることがわかった場合、ＷＴＲＵは、そのセルを識別する、またはそのセルが存在することを再確認する必要がある場合がある。次いで、ＷＴＲＵは、非３ＧＰＰ  ＲＡＴセルを再選択することができる。
【００９７】
ＲＡＴの優先順位がネットワークによって示されている場合、ＷＴＲＵは、まず、第１のＲＡＴ（優先順位によって示されるＷＣＤＭＡ、ＧＳＭ、または非３ＧＰＰ  ＲＡＴセル）において再選択アルゴリズムを稼働させ、次いで、好ましいＲＡＴが任意の適したセルを有していない場合、引き続き他のＲＡＴを再選択することを試みることに留意されたい。ＰＳＣ、ＢＳＩＣ、または非３ＧＰＰ  ＲＡＴセルを測定し、識別するための手順は、変わらない。
【００９８】
ＷＴＲＵは、そのＲＡＴにおいて新しいセルをいったん再選択すると、システム情報メッセージを読み、セル固有のシステム情報を取得する。次いでＷＴＲＵは、位置の更新をネットワークに送信して、ＷＴＲＵの現在の位置をネットワークに知らせることができる。次いでネットワークは、ＷＴＲＵの最終的な位置をネットワークに知らせる信号をソースＲＡＴ／ｅＮｏｄｅＢに送り返す。
【００９９】
上記のシナリオにおいて、ＬＴＥ側の無線リソース制御（ＲＲＣ）が他の３ＧＰＰ  ＲＡＴまたは非３ＧＰＰ  ＲＡＴにおけるすべての測定を行うことを想定している。あるいは、すべての測定を行うことができる非３ＧＰＰ側の別個のＡＳ（アクセス層）、またはＡＳおよびＮＡＳの両方が異なり得る非３ＧＰＰ側の新しいスタックが存在する可能性がある。３ＧＰＰおよび非３ＧＰＰプロトコルスタックは、共通インターフェイスを介して互いに通信することができる。
【０１００】
上記の場合、隣接の３ＧＰＰ  ＲＡＴまたは非３ＧＰＰ  ＲＡＴに移動するためのセル再選択手順が定義される。いくつかの場合、ネットワークは、再選択の代わりにセル選択手順を使用して隣接ＲＡＴに移動するように、ＷＴＲＵを構成する。セル選択手順は、ＷＴＲＵがネットワークとの呼を確立しておらず、ＷＴＲＵが様々なセル再選択タイマによって時間計測することをネットワークが望んでいない場合に使用されることになる。ネットワークは、単に、アイドルモードになり、非３ＧＰＰセルを選択し直すようＷＴＲＵに指示することができ、これは、より早い手法となる可能性がある。こうした場合、上記の基準を使用せず、無線信号強度基準、または場合によってはＳ基準を使用して、別のセルを選択することになる。
【０１０１】
ＲＲＣ（非３ＧＰＰ  ＲＡＴにおいて測定を行う場合）またはＷＴＲＵに存在する非３ＧＰＰ  ＲＡＴスタックは、ＭＢＭＳなど優先順位が高いサービス中、他方のＲＡＴに対するその測定を一時停止することができる。あるいは、サービングセルにおける現在の信号強度が弱い場合、ＷＴＲＵは、そのＭＢＭＳサービスを一時停止し、引き続き非３ＧＰＰ  ＲＡＴにおける測定を行うことができる。
【０１０２】
ＷＴＲＵ構成
【０１０３】
図４は、異なるＲＡＴのセルを再選択するように構成されたＷＴＲＵ４００のブロック図である。ＷＴＲＵ４００は、アンテナ４０４に接続された送受信機４０２を含む。セル選択装置４０６は、そのセルがＷＴＲＵのキャンプオンに適しているかどうかを決定するために、隣接セルを選択するように構成されており、送受信機４０２と通信する。セル適合性決定装置（ｃｅｌｌ  ｓｕｉｔａｂｉｌｉｔｙ  ｄｅｔｅｒｍｉｎｉｎｇ  ｄｅｖｉｃｅ）４０８は、選択されたセルがＷＴＲＵのキャンプオンに適しているかどうかを決定するように構成されており、送受信機４０２およびセル選択装置４０６と通信する。プロセッサ４１０は、測定と閾値との比較を行うように構成されており、送受信機４０２、セル選択装置４０６、およびセル適合性決定装置４０８と通信する。測定装置４１２は、隣接セルの測定を行うように構成されており、送受信機４０２およびプロセッサ４１０と通信する。
【０１０４】
実施態様
【０１０５】
１．セル再選択を行うための方法であって、現在のセル選択品質値を決定することと、セル選択品質値を予め定められた閾値と比較することと、セル選択品質値が予め定められた閾値以下である場合、隣接セルの測定を行うことと、測定に基づいて、現在のセルより良い隣接セルが見つかった場合、より良い隣接セルを再選択することとを含む。
【０１０６】
２．セル選択品質値は、参照シンボル受信品質とそのセルにおける最小必要品質レベルとの間の差である実施形態１に記載の方法。
【０１０７】
３．閾値は、周波数内測定をトリガするための閾値であり、測定は、隣接する同一周波数セルについて行われる実施形態１または２に記載の方法。
【０１０８】
４．閾値は、周波数間測定をトリガするための閾値であり、測定は、隣接する異周波数セルについて行われる実施形態１または２に記載の方法。
【０１０９】
５．閾値は、周波数内測定をトリガするための閾値であり、測定は、隣接する同一周波数セルおよび隣接する異周波数セルについて並列して行われる実施形態１または２に記載の方法。
【０１１０】
６．測定は、セル選択品質値が周波数内測定をトリガするための閾値以下であり、周波数間測定をトリガするための閾値以下である場合、隣接する同一周波数セルおよび隣接する異周波数セルについて並列して行われる実施形態１または２に記載の方法。
【０１１１】
７．閾値は、異なる無線アクセス技術（ＲＡＴ）の測定をトリガするための閾値であり、測定は、隣接する異なるＲＡＴのセルについて行われる実施形態１または２に記載の方法。
【０１１２】
８．異なるＲＡＴの測定は、適した隣接する同一周波数セルまたは隣接する異周波数セルがない場合のみ行われる実施形態７に記載の方法。
【０１１３】
９．サポートされているＲＡＴごとに、異なるＲＡＴのトリガ閾値が使用される実施形態７または８に記載の方法。
【０１１４】
１０．２つの連続する測定間で、予め定められた期間待つことをさらに含む実施形態７〜９のうちの１項に記載の方法。
【０１１５】
１１．予め定められた期間は、ある回数の間欠受信（ＤＲＸ）サイクルに基づく実施形態１０に記載の方法。
【０１１６】
１２．現在のセルが、予め定められた回数連続するＤＲＸサイクルで、予め定められた基準を満たさない場合、異なるＲＡＴのセルの測定を行うことをさらに含む実施形態１１に記載の方法。
【０１１７】
１３．予め定められた基準は、Ｓ基準である実施形態１２に記載の方法。
【０１１８】
１４．Ｓ基準は、式Ｓｒｘｌｅｖ＝ＲＳＲＰ−Ｑｒｘｌｅｖｍｉｎ−ｍａｘ（ＵＥ＿ＴＸＰＷＲ＿ＭＡＸ＿ＲＡＣＨ−Ｐ＿ＭＡＸ，０）によって定義され、式中、Ｓｒｘｌｅｖは、セル選択受信レベル、ＲＳＲＰは、参照シンボル受信電力、Ｑｒｘｌｅｖｍｉｎは、そのセルにおける最小必要受信レベル、ＵＥ＿ＴＸＰＷＲ＿ＭＡＸ＿ＲＡＣＨは、ランダムアクセスチャネル上でセルにアクセスするときに無線送受信ユニット（ＷＴＲＵ）が使用し得る最大電力レベル、およびＰ＿ＭＡＸは、ＷＴＲＵの最大無線周波数出力電力である実施形態１３に記載の方法。
【０１１９】
１５．ＲＳＲＰ値は、ＷＴＲＵによって測定され、ＱｒｘｌｅｖｍｉｎおよびＵＥ＿ＴＸＰＷＲ＿ＭＡＸ＿ＲＡＣＨは、ネットワークから受信される実施形態１４に記載の方法。
【０１２０】
１６．予め定められた期間は、無線送受信ユニット（ＷＴＲＵ）によってネットワークから受信される実施形態１０〜１５のうちの１項に記載の方法。
【０１２１】
１７．複数の予め定められた期間値は、ＷＴＲＵによってネットワークから受信され、ＷＴＲＵは、現在のチャネル状態に基づいて予め定められた期間値を選択する実施形態１６に記載の方法。
【０１２２】
１８．倍率を受信することをさらに含み、倍率に予め定められた期間値を掛けて、現在のチャネル状態に基づいて測定間隔を調整する実施形態１６に記載の方法。
【０１２３】
１９．異なるＲＡＴのセルを検索することをさらに含む実施形態７〜１８のうちの１項に記載の方法。
【０１２４】
２０．検索することは、少なくとも１つのＲＡＴにおけるセルを測定することと、すべてのＲＡＴの測定されたセルを最小品質閾値と比較することと、ＲＡＴに関係なく、閾値を超えるセルを選択することと、測定に基づいて、選択されたセルをランク付けすることとを含む実施形態１９に記載の方法。
【０１２５】
２１．ＲＡＴごとに異なる最小品質閾値が使用される実施形態２０に記載の方法。
【０１２６】
２２．ランク付けは、予め定められた間隔で繰り返し行われる実施形態２０または２１に記載の方法。
【０１２７】
２３．予め定められた間隔は、ある回数の間欠受信（ＤＲＸ）サイクルに基づく実施形態２２に記載の方法。
【０１２８】
２４．すべてのＲＡＴの中から最強のセルを再選択することをさらに含む実施形態２０に記載の方法。
【０１２９】
２５．ＲＡＴの優先順位情報を受信することをさらに含み、優先順位情報は、異なるＲＡＴのセルを測定するための順序を決定するために使用される実施形態７〜２４のうちの１項に記載の方法。
【０１３０】
２６．優先順位情報は、ＲＡＴ情報、周波数情報、およびセル情報のうちの少なくとも１つを含む実施形態２５に記載の方法。
【０１３１】
２７．予め定められた閾値が使用不可である場合、隣接セルは、常に測定される実施形態１または２に記載の方法。
【０１３２】
上記では特徴および要素が特定の組み合わせで記載されているが、各特徴または要素は、他の特徴および要素無しに単独で、または他の特徴および要素の有無にかかわらず様々な組み合わせで使用することができる。本明細書に提供された方法またはフローチャートは、汎用コンピュータまたはプロセッサによって実行するために、コンピュータ読取可能な記憶媒体に組み込まれるコンピュータプログラム、ソフトウェア、またはファームウェアで実施することができる。コンピュータ読取可能な記憶媒体の例には、読み取り専用メモリ（ＲＯＭ）、ランダムアクセスメモリ（ＲＡＭ）、レジスタ、キャッシュメモリ、半導体メモリ装置、内蔵ハードディスクおよび取外式ディスクなどの磁気媒体、光磁気媒体、およびＣＤ−ＲＯＭディスクやデジタル多目的ディスク（ＤＶＤ）などの光媒体などがある。
【０１３３】
適したプロセッサには、一例として、汎用プロセッサ、専用プロセッサ、従来のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）および／または状態機械などがある。
【０１３４】
ソフトウェアと関連するプロセッサは、無線送受信ユニット（ＷＴＲＵ）、ユーザ機器（ＵＥ）、端末、基地局、無線ネットワークコントローラ（ＲＮＣ）、または任意のホストコンピュータで使用するための無線周波数送受信装置を実施するために使用することができる。ＷＴＲＵは、カメラ、ビデオカメラモジュール、テレビ電話、スピーカフォン、振動装置、スピーカ、マイクロフォン、テレビ送受信機、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）表示装置、有機発光ダイオード（ＯＬＥＤ）表示装置、デジタル音楽プレーヤ、メディアプレーヤ、ビデオゲームプレーヤモジュール、インターネットブラウザ、および／または任意の無線ローカルエリアネットワーク（ＷＬＡＮ）または超広帯域（ＵＷＢ）モジュールなど、ハードウェアおよび／またはソフトウェアに実装されるモジュールと共に使用することができる。
【図１】
2010531577.tif 000005
【図２】
2010531577.tif 000006
【図３】
2010531577.tif 000007
【図４】
2010531577.tif 000008
【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）において実行するセル再選択を行う方法であって、
現在のセルから、複数の隣接する異なる無線アクセス技術（ＲＡＴ）のセルの、前記複数の隣接する異なるＲＡＴのセルのうちのどの隣接する異なるＲＡＴのセルの品質測定を行うかを決定するために使用される優先順位情報を受信するステップと、
前記現在のセルの品質値が予め定められた閾値以下であるという条件で、前記決定された隣接する異なるＲＡＴのセルの品質測定を行うステップと、
前記決定された隣接する異なるＲＡＴのセルが前記現在のセルの前記品質値より良い品質値を有するという条件で、前記決定された隣接する異なるＲＡＴのセルを再選択するステップと
を備えたことを特徴とする方法。
【請求項２】
前記決定された隣接する異なるＲＡＴのセルの品質測定を行うステップは、ＬＴＥ（ｌｏｎｇ  ｔｅｒｍ  ｅｖｏｌｕｔｉｏｎ）セルの品質測定を行うステップを含むことを特徴とする請求項１に記載の方法。
【請求項３】
前記決定された隣接する異なるＲＡＴのセルの品質測定を行うステップは、広帯域符号分割多元接続（ＷＣＤＭＡ）セルの品質測定を行うステップを含むことを特徴とする請求項１に記載の方法。
【請求項４】
前記予め定められた閾値は、同一周波数測定をトリガし、前記測定は、隣接する同一周波数セルに対して行われることを特徴とする請求項１に記載の方法。
【請求項５】
前記予め定められた閾値により、周波数測定をトリガし、前記測定は、隣接する周波数セルに対して行われることを特徴とする請求項１に記載の方法。
【請求項６】
前記予め定められた閾値により、同一周波数測定をトリガし、前記測定は、隣接する同一周波数セルおよび隣接する異周波数セルに対して並列して行われることを特徴とする請求項１に記載の方法。
【請求項７】
前記隣接する同一周波数セルおよび前記隣接する異周波数セルの測定は、前記現在のセルの前記品質値が同一周波数測定をトリガするための閾値以下であり、異周波数測定をトリガするための閾値以下であるという条件で、並列して行われることを特徴とする請求項５に記載の方法。
【請求項８】
２つの連続する測定間で、ある回数の間欠受信（ＤＲＸ）サイクルに基づく予め定められた期間待つステップをさらに備えたことを特徴とする請求項１に記載の方法。
【請求項９】
前記現在のセルが、予め定められた回数連続するＤＲＸサイクルで、予め定められた基準を満たさないという条件で、前記隣接する異なるＲＡＴのセルの測定を行うステップ
をさらに備えたことを特徴とする請求項８に記載の方法。
【請求項１０】
前記予め定められた期間は、前記ＷＴＲＵに信号で伝えられることを特徴とする請求項８に記載の方法。
【請求項１１】
前記予め定められた期間は、前記ＷＴＲＵに信号で伝えられる複数の予め定められた期間値を含み、前記ＷＴＲＵは、現在のチャネル状態に基づいて、前記複数の予め定められた期間値のうちの１つを選択することを特徴とする請求項１０に記載の方法。
【請求項１２】
少なくとも１つのＲＡＴにおけるセルを測定するステップと、
すべてのＲＡＴの前記測定されたセルを最小品質閾値と比較するステップと、
ＲＡＴに関係なく、前記閾値を超える前記セルを選択するステップと、
前記測定に基づいて、前記選択されたセルをランク付けするステップと
を含む異なるＲＡＴのセルを探索するステップをさらに備えたことを特徴とする請求項１に記載の方法。
【請求項１３】
前記優先順位情報は、ＲＡＴ情報、周波数情報、およびセル情報のうちの少なくとも１つを含むことを特徴とする請求項１に記載の方法。
【請求項１４】
セル再選択を行う無線送受信ユニット（ＷＴＲＵ）であって、
現在のセルから、複数の隣接する異なる無線アクセス技術（ＲＡＴ）のセルの優先順位情報を受信するように構成された受信機であって、前記優先順位情報は、前記複数の隣接する異なるＲＡＴのセルのうちのどの隣接する異なるＲＡＴのセルの品質測定を行うかを決定するために使用する受信機と、
前記現在のセルの品質値が予め定められた閾値以下であるという条件で、前記決定された隣接する異なるＲＡＴのセルの品質測定を行い、前記決定された隣接する異なるＲＡＴのセルが前記現在のセルの前記品質値より良い品質値を有するという条件で、前記決定された隣接する異なるＲＡＴのセルを再選択するように構成されたプロセッサと
を備えたことを特徴とするＷＴＲＵ。
【請求項１５】
前記プロセッサは、ＬＴＥ（ｌｏｎｇ  ｔｅｒｍ  ｅｖｏｌｕｔｉｏｎ）セル、または広帯域符号分割多元接続（ＷＣＤＭＡ）セルの品質測定を行うことを含めて、前記決定された隣接する異なるＲＡＴのセルの品質測定を行うようにさらに構成されたことを特徴とする請求項１４に記載のＷＴＲＵ。
【国際調査報告】
2010531577.tif 000009
2010531577.tif 000010
2010531577.tif 000011